(57)【要約】      （修正有）【課題】果実を鳥獣による被害から保護するとともに、果実茎が傷むことを防止して、果実を適切に保護する果実保護容器を提供する。【解決手段】一対のカップ２，３は、各々の縁部２Ａ，３Ａが互いに合わさることによって、内部に果実を収容可能な容器を構成する。一対のカップ２，３は、各々の縁部２Ａ，３Ａの一端に設けたヒンジ部４にて揺動可能に連結される。一対のカップ２，３の各々の表面には、複数の突起５が設けられる。一方のカップ２には、ヒンジ部４のある端部とは反対側の端部を起点として縁部２Ａと交差する方向に延びる長尺状の開口部６が形成されている。【選択図】図２
0003165432.tif 000002
【実用新案登録請求の範囲】
【請求項１】
一対のカップから構成される果実保護容器であって、
前記一対のカップは、各々の縁部が互いに合わさることによって、内部に果実を収容可能な容器を構成し、
前記一対のカップは、各々の縁部の一端に設けたヒンジ部にて揺動可能に連結され、
前記一対のカップの各々の表面には、複数の突起が設けられ、
前記一対のカップの一方には、前記一端とは反対側の他端を起点として前記縁部と交差する方向に延びる長尺状の開口部が形成されていることを特徴とする果実保護容器。
【請求項２】
前記開口部は、長方形状であることを特徴とする請求項１記載の果実保護容器。
【請求項３】
前記一対のカップの各々が半球状又は半楕円球状をなすことにより、容器全体として球体又は楕円球体を構成し、
前記開口部は、前記球体又は楕円球体の中心で切った断面で見て、中心角が実質的に９０度の範囲に形成されていることを特徴とする請求項１又は２記載の果実保護容器。
【考案の詳細な説明】
【技術分野】
【０００１】
本考案は、野菜や果物等の果実を保護するための果実保護容器に関する。
【背景技術】
【０００２】
近年、畑で栽培しているスイカ、マクワウリ等がイノシシ等の鳥獣に荒らされる被害が多くなっている。果実に紙製の袋をかけて保護することも行われているが、鳥獣にかじられたり、風雨で破れたりすることが多く、強靱性、耐久性等の点で問題がある。
【０００３】
そのため、合成樹脂材の一対のカップを開閉自在に連結した果実保護容器が提案されている（例えば、特許文献１参照。）。
【先行技術文献】
【特許文献】
【０００４】
【特許文献１】特開２００８−１７７２５号公報
【考案の概要】
【考案が解決しようとする課題】
【０００５】
しかし、特許文献１に開示されている果実保護容器では、果実が保護容器に収容されている状態において、保護容器に対して果実が回転した場合、果実茎が一対のカップに設けられたフランジ間を摺動するため、果実茎が傷んだり、場合によっては折れたりするおそれがある。
【０００６】
そこで本考案は、果実を鳥獣による被害から保護するとともに、果実茎が傷むことを防止して、果実を適切に保護する果実保護容器を提供することを目的とする。
【課題を解決するための手段】
【０００７】
上記目的を達成するために、本考案は、一対のカップから構成される果実保護容器であって、前記一対のカップは、各々の縁部が互いに合わさることによって、内部に果実を収容可能な容器を構成し、前記一対のカップは、各々の縁部の一端に設けたヒンジ部にて揺動可能に連結され、前記一対のカップの各々の表面には、複数の突起が設けられ、前記一対のカップの一方には、前記一端とは反対側の他端を起点として前記縁部と交差する方向に延びる長尺状の開口部が形成されている果実保護容器を提供している。
【０００８】
ここで、前記開口部は長方形状であるのが好ましい。また、前記一対のカップの各々が半球状又は半楕円球状をなすことにより、容器全体として球体又は楕円球体を構成し、前記開口部は、前記球体又は楕円球体の中心で切った断面で見て、中心角が実質的に９０度の範囲に形成されているのが好ましい。
【考案の効果】
【０００９】
請求項１記載の果実保護容器によれば、果実を鳥獣による被害から保護するとともに、果実茎が傷むことを防止して、果実を適切に保護することができる。
【００１０】
請求項２記載の果実保護容器によれば、開口部を形成する際の加工が容易である。
【００１１】
請求項３記載の果実保護容器によれば、容器内部に収容された果実の茎が動くための十分な領域を確保することができる。
【図面の簡単な説明】
【００１２】
【図１】本考案の実施の形態による果実保護容器を示す正面図であって、一対のカップを閉じた状態を示す図。
【図２】本考案の実施の形態による果実保護容器を示す側面図であって、一対のカップを若干開いた状態を示す図。
【図３】図１のＩＩＩ−ＩＩＩ線に沿った断面図であって、果実保護容器の内部に果実を収容し、土壌上に置いた状態を示す図。
【考案を実施するための形態】
【００１３】
本考案の実施の形態による果実保護容器について図１乃至図３に基づき説明する。
【００１４】
図１及び図２に示すように、本実施の形態による果実保護容器１は、第一カップ（上側カップ）２及び第二カップ（下側カップ）３の一対のカップから構成される。第一カップ２及び第二カップ３は、何れも、概略半球状であり、内部の果実に日光を透過するように透光性材料からなる。本実施形態では、透光性の樹脂材料を用いる。
【００１５】
第一カップ２及び第二カップ３は、それぞれ縁部２Ａ、３Ａを有しており、縁部２Ａ、３Ａの一端に設けられたヒンジ部４によって揺動可能に連結されている。第一カップ２及び第二カップ３は、各々の縁部２Ａ、３Ａが互いに合わさることによって、容器全体として略球体を構成し、内部に果実を収容可能である。
【００１６】
なお、果実保護容器１の内部に果実を収容した後に、縁部２Ａ、３Ａ同士を固定する必要があるが、この固定方法は任意の方法を用いればよい。例えば、縁部２Ａ、３Ａに嵌め合いの構造を形成して、嵌め合わせたら容易に外れないようにしてもよい。これと組み合わせて或いは単独で、縁部２Ａ、３Ａの近傍にワイヤを通すための穴を形成して、第一カップ２と第二カップ３とをワイヤで固定してもよい。或いは、耐候性の接着テープ等で簡単に固定してもよい。
【００１７】
第一カップ２及び第二カップ３の各々の表面には、複数の突起５が設けられている。これによって、鳥獣は突起５を嫌がるため、果実保護容器１内の果実が食べられるのを防止することができる。更に、突起５があることによって、果実保護容器１が土壌Ｓ（図３）上を転がることを防止することができる。
【００１８】
第一カップ２には、果実茎を通すための長尺状の開口部６が形成されている。開口部６は、第一カップ２の縁部２Ａのうち、ヒンジ部４とは反対側の端部を起点として、上側へ即ち縁部２Ａと交差する方向（本実施形態では縁部２Ａと直交する方向）に延びている。本実施形態では、長尺状の開口部６は、長方形状であるため、加工が容易となっている。
【００１９】
また、開口部６は、果実保護容器１を構成する球体の中心で切った断面（図３に示す断面）で見て、中心角約９０度の範囲に形成されている。かかる角度範囲であれば、果実茎が動くための十分な領域を確保することができる。すなわち、果実保護容器１内に収容した果実が成長したりして、果実が容器に対して動いた場合であっても、果実茎が通るための領域が確保される。
【００２０】
本考案による果実保護容器は上述した実施の形態に限定されず、特許請求の範囲に記載した範囲で種々の変形や改良が可能である。
【００２１】
例えば、上記実施形態では、果実保護容器１の形状について、それぞれ半球状の第一カップ２及び第二カップ３を組み合わせて、球体状の容器を構成した。しかしながら、容器の形状はこれに限られるものではなく、収容する果実の形状に合わせて任意の形状とすることができる。例えば、長細い第一カップ及び第二カップを組み合わせることによって、楕円球体の容器を構成してもよい。
【００２２】
また、上記実施形態では、第一カップ２及び第二カップ３の材料として透光性の樹脂材料を用いたが、材質及び構造ともに、これに限られない。例えば、第一カップ２及び第二カップ３の両方又は一方を、金属又は樹脂製等のメッシュ（網状構造）で構成したり、或いは、複数の突起５が設けられている箇所を避けて、多数の風通し用開口部を形成したりしてもよい。このようにすれば、容器内部に果実に対して、日光を透過するだけでなく、風通しも良好となり、果実にとってより一層好ましい環境をつくることができる。
【００２３】
また、複数の突起５の個数及び配置は、図面に示したものに限られない。鳥獣除けの効果を高めるために、突起の数を増やしてもよい。また、鳥獣が開口部６を通して内部の果実を食べようとするのを防止するために、開口部６の周辺部により多くの突起を設けてもよい。
【００２４】
更に、上記実施の形態では、開口部６は、果実保護容器１を構成する球体の中心で切った断面で見て、中心角約９０度の範囲に形成されていたが、かかる角度範囲に限定されるものではなく、９０度よりも広くても狭くてもよい。また、開口部の形状も、長方形状に限られるものではなく、例えば長丸状であってもよい。
【符号の説明】
【００２５】
１    果実保護容器
２    第一カップ
２Ａ  縁部
３    第二カップ
３Ａ  縁部
４    ヒンジ部
５    複数の突起
６    開口部
Ｓ    土壌
【図１】
0003165432.tif 000003
【図２】
0003165432.tif 000004
【図３】
0003165432.tif 000005